(57)【要約】本発明は、連続フレームを有するビデオストリームの形で利用可能であるデジタル符号化ビデオデータを処理する方法に関する。マクロブロックに分割されるそれらのフレームは、少なくともＩフレーム（イントラ）及びＰフレーム（予測）と、Ｉフレーム及びＰフレームの間に一時的に配置され且つそれらが間に配置される少なくとも２つのフレームから双方向的に予測されるＢフレームとを有する。本発明に従って、この処理方法は、もしある場合に、前記重み付け予測を特徴付ける符号化パラメータに関連付けられる現フレームの各々の連続マクロブロックを決定する段階と、前記パラメータに関連付けられる統計値を供給するために前記現フレームの前記連続マクロブロック全てについて前記パラメータを収集する段階と、予測方向のための選好の変化を決定するための前記統計値を分析する段階と、選好の変化が決定される度に、一連のフレームにおける徐々のシーン変化の発生を検出する段階とを有する。
2007518303.tif 000002
【特許請求の範囲】
【請求項１】
マクロブロックに分割された連続フレームを有するビデオストリームの形で利用可能であるデジタル符号化ビデオデータを処理する方法であって、前記フレームは、少なくとも、独立して符号化されたＩフレームと、前記Ｉフレーム間に一時的に配置され且つ少なくとも前Ｉ又はＰフレームから予測されたＰフレームと、Ｉフレーム及びＰフレーム間又は２つのＰフレーム間に一時的に配置され且つ配置された少なくともそれら２つのフレームから双方向的に予測されるＢフレームとを有し、前記Ｐ及びＢフレームの予測は過去及び将来からの一意の予測量を有する重み付けされた予測により実行され、前記処理方法は：
もしある場合に、前記重み付け予測を特徴付ける符号化パラメータに関連付けられる現フレームの各々の連続マクロブロックを決定する段階；
前記パラメータに関連付けられる統計値を供給するために、前記現フレームの前記連続マクロブロック全てについて前記パラメータを収集する段階；
予測方向のための選好の変化を決定するための前記統計値を分析する段階；及び
選好の変化が決定される度に、一連のフレームにおける徐々のシーン変化の発生を検出する段階；
を有することを特徴とする処理方法。
【請求項２】
請求項１に記載の処理方法であって、前記分析する段階は、前記現フレームにおけるマクロブロックの総数に関連して導き出された所定の閾値に対して同じ方向の選好及び類似する重み付けを有するマクロブロックの数を比較するために与えられる、ことを特徴とする処理方法。
【請求項３】
請求項２に記載の処理方法であって、各々のシーン変化の位置及び持続時間についての情報が生成され且つファイルに記憶される、ことを特徴とする処理方法。
【請求項４】
請求項１乃至３の何れ一項に記載の処理方法であって、処理ビデオストリームのシンタックス及びセマンティクスはＨ．２６４／ＡＶＣ規格のシンタックス及びセマンティクスである、ことを特徴とする処理方法。
【請求項５】
マクロブロックに分割された連続フレームを有するビデオストリームの形で利用可能であるデジタル符号化ビデオデータを処理する装置であって、前記フレームは、少なくとも、独立して符号化されたＩフレームと、前記Ｉフレーム間に一時的に配置され且つ少なくとも前Ｉ又はＰフレームから予測されたＰフレームと、Ｉフレーム及びＰフレーム間又は２つのＰフレーム間に一時的に配置され且つ配置された少なくともそれら２つのフレームから双方向的に予測されるＢフレームとを有し、前記Ｐ及びＢフレームの予測は過去及び将来からの一意の予測量を有する重み付けされた予測により実行され、前記装置は：
もしある場合に、前記重み付け予測を特徴付ける符号化パラメータに関連付けられる現フレームの各々の連続マクロブロックを決定する決定手段；
前記パラメータに関連付けられる統計値を供給するために、前記現フレームの前記連続マクロブロック全てについて前記パラメータを収集する収集手段；
予測方向のための選好の変化を決定するための前記統計値を分析する分析手段；及び
選好の変化が決定される度に、一連のフレームにおける徐々のシーン変化の発生を検出する検出手段；
を有することを特徴とする装置。
【請求項６】
デジタルビデオデータ復号化装置のためのコンピュータプログラムであって、前記復号化装置にロードされるとき、前記復号化装置が請求項１乃至４の何れ一項に従った前記処理方法の段階を実行するようにする指令の集合を有する、ことを特徴とするコンピュータプログラム。
【発明の詳細な説明】
【技術分野】
【０００１】
本発明は、Ｈ．２６４／ＡＶＣビデオストリームにおける徐々のシーンの遷移を自動的に検出することを可能にする方法に関する。その方法は、非常に効率的でコストパフォーマンスの高いＨ．２６４により導入される新規な符号化パラメータを使用することに基づいている。
【背景技術】
【０００２】
近年、国際ビデオ符号化規格は種々の業務用及び汎用アプリケーションにおけるデジタルビデオの採用を容易にする重要な役割を果たしてきた。最も影響力のある規格は、２つの組織、即ち、ＩＴＵ−Ｔ及びＩＳＯ／ＩＥＣ  ＭＰＥＧによりときどき共同で開発されてきた（例えば、ＭＰＥＧ−２／Ｈ．２６２）。最も新しい共同の規格はＨ．２６４／ＡＶＣであり、それは、国際規格１４４９６−１０（ＭＰＥＧ−４  Ｐａｒｔ  １０）Ａｄｖａｎｃｅｄ  Ｖｉｄｅｏ  Ｃｏｄｉｎｇ（ＡＶＣ）としてＩＳＯ／ＩＥＣ及び推奨Ｈ．２６４／ＡＶＣとしてＩＴＵ−Ｔにより２００３年に正式に承認されることが期待されていた。Ｈ．２６４／ＡＶＣ規格の主な目的は、圧縮性能において大幅なゲインを得ることと“ネットワークに優しい”ビデオ表示アドレッシング“会話型”（電話）及び“非会話型”（記憶、放送、ストリーミング）アプリケーションを与えることとを達成することである。今日、Ｈ．２６４／ＡＶＣは、既存の規格に対して著しく改善されたレート−歪み効率を提供するとして広く認識され、Ｈ．２６４／ＡＶＣベースの解決方法は又、ＤＶＢ及びＤＶＤフォーラムのような他の規格組織で検討されている。Ｈ．２６４／ＡＶＣ符号化器／復号化器の実施については、例えば、“新たなＨ．２６４規格：概要及びＴＭＳ３２０Ｃ６４ｘデジタルメディアプラットホームの実施−政府の公式報告書（ｈｔｔｐ：／／／ｗｗｗ．ｕｂｖｉｄｅｏ．ｃｏｍ／ｐｕｂｌｉｃ参照）にあるように、既に利用可能になっている。また、インターネットにおけるＨ．２６４／ＡＶＣに関する情報を提供しているサイト数は非常に多くなってきていて、それらのサイトの中で、ＩＴＵ−Ｔ／ＭＰＥＧ  ＪＶＴ［Ｊｏｉｎｔ  Ｖｉｄｅｏ  Ｔｅａｍ］（公式のＨ．２６４文書及びＪＶＴのソフトウェア（ｆｔｐ：／／ｆｔｐ．ｉｍｔｃ−ｆｉｌｅｓ．ｏｒｇ／ｊｖｔ−ｅｘｐｅｒｔｓ／参照））の公式データベースは、草案の更新を含む、Ｈ．２６４／ＡＶＣの状態及び進行状況を反映した文書への自由なアクセスを提供している。
【０００３】
Ｈ．２６４／ＡＶＣシンタックス及び符号化ツールは、ここで、再現されることが可能である。最初に、Ｈ．２６４／ＡＶＣは、ＭＰＥＧ−２のような構築された規格により理解されるブロックベースの動き補償変換符号化の同じ原理を採用している。Ｈ．２６４シンタックスは、それ故、ヘッダ（例えば、ピクチャブロックヘッダ、スライスブロックヘッダ及びマクロブロックヘッダ等）並びにデータ（例えば、動きベクトル、ブロック変換係数、量子化スケール等）の通常の階層として体系付けられる。データ構造化（例えば、Ｉ、Ｐ又はＢピクチャ、イントラ及びインターマクロブロック）に関する既知の概念の殆どが維持されている一方、一部の新たな概念がまた、ヘッダレベル及びデータレベルの両方において導入されている。主に、Ｈ．２６４／ＡＶＣは、ビデオデータのコンテンツを効率的に表すように定義されているビデオ符号化レイヤと、データをフォーマットし且つ高レベルの（粗ランスポート）システムによる伝達のために適切な様式でヘッダ情報を供給するネットワーク抽象化レイヤとを分離する。
【０００４】
データレベルにおけるＨ．２６４／ＡＶＣの主な特徴の１つはまた、１６ｘ１６マクロブロックのより精巧な分割及び操作を用いることである（マクロブロックＭＢは、１６ｘ１６の輝度ブロック及び対応する８ｘ８のクロミナンスのブロックの両方を含むが、多くの操作、例えば、動き予測は、実際には、輝度のみをとり、クロミナンスにその結果を反映する）。それ故、動き補償処理は、サンプルグリッドの四分の一以下の動きベクトル精度を用いて、サイズが４ｘ４と小さいＭＢの細分化を行う。また、サンプルブロックの動き補償予測についての選択処理は、隣接ピクチャのみに代えて、複数の記憶されている既に復号化されたピクチャを含むことが可能である。イントラ符号化にしても、隣接ブロックから予め復号化されたサンプルを用いて、ブロックの予測を行うことが可能である（このような空間に基づく予測のルールは、所謂、イントラ予測モードで記述される）。動き補償予測か又は空間ベースの予測のどちらかの後、結果的に得られる予測エラーは、通常は、従来の８ｘ８サイズの代わりに４ｘ４ブロックサイズに基づいて変換及び量子化される。この特徴は、下の説明で規定される本発明に特に関連し、その説明において後に浮き彫りにされる。Ｈ．２６４／ＡＶＣは、更に、他の特定の認識（例えば、エントロピー符号化）を用い、それらの認識の殆どは固定される又はピクチャレベルで又はピクチャレベルを超えてのみ変化される。
【０００５】
動き補償に関して、Ｈ．２６４／ＡＶＣの一般的概念及び特徴はまた、再現される必要がある。例えば、ＭＰＥＧ−２のような、殆どの従来のビデオ符号化規格は、ビデオにおける後続のピクチャ間の補正を利用する実際的な方法として、ブロックベースの動き補償を本質的に用いている。この方法は、隣接する予め復号化された基準ピクチャにおいて“最適なマッチング”により所定のピクチャにおける各々のマクロブロックを予測することを試みる。マクロブロックとその予測との間の画素に関する差分が十分に小さい場合、この差分（又は、残渣）が符号化され、マクロブロック自体の差が符号化されるのではない。実際のＭＢのグリッド位置に対する予測ブロックの相対的移動は動きベクトルにより表され、その動きベクトルは個別に符号化される。図１は、双方向予測の場合について、これを示し、ここで、２つの参照図Ｐｉ及びＰｉ＋１が用いられ、それらは過去における一と将来における一である（表示の順序において）。このようにして予測されるピクチャ（図１のＢｉのような）はＢピクチャと呼ばれる。そうではなく、過去のみを参照することにより予測されるピクチャはＰピクチと呼ばれる。
【０００６】
Ｈ．２６４／ＡＶＣを用いる場合、それらの基本的概念は更に精巧にされる。第１に、Ｈ．２６４／ＡＶＣにおける動き補償は複数の基準ピクチャ予測に基づいている。所定のブロックに対する適合性は、隣接ピクチャに代えて、より遠い過去又は将来のピクチャにおいて探索されることができる。第２に、Ｈ．２６４／ＡＶＣは、ＭＢをより小さいブロックに分割すること及びそれらのブロックの各々を別個に予測することを可能にする。これは、所定のＭＢについての予測が、基本的に、異なる動きベクトルを用いて及び異なる基準ピクチャから取り出される異なるブロックから構成されることを意味する。予測ブロックの数、サイズ及びオリエンテーションは、インターモードの選択により一意に決定される。幾つかのそのようなモードは、１６ｘ８、８ｘ８等のブロックサイズが４ｘ４に減らされるように特定される。
【０００７】
他のＨ．２６４／ＡＶＣにおける革新性は、動き補償される予測信号が重み付けされ且つ符号化器により指定された量だけオフセットされることを可能にする。これは、前のフレームＰ（ｉ−ｎ）及びＰ（ｉ−１）及び後のフレームＰ（ｉ＋ｊ）及びＰ（ｉ＋ｍ）から予測されるフレームＢ（ｉ）に関する双方向の予測の場合、符号化器は、過去からの予測ブロック及び将来からの予測ブロックが全体の予測において寄与する一意の量を選択することができることを意味する。この特徴は、フェードを含むシーンに対して符号化効率を大幅に改善すうことを可能にする。
【０００８】
問題点は、しかしながら、次のようなものである。コンピューティング、通信及びデジタルデータ記憶における近年の進展は、容量及びコンテンツの豊富さを着実に増加させることにより特徴付けられる大きいデジタルアーカイブの非常に大きい成長に繋がる。記憶されている関心のある情報を即座に検索する効率的な検索方法は、それ故、非常に重要である。系統だって記憶されていないデータのテラバイトオーダーをマニュアルで検索することは冗漫で時間を非常に要するため、情報検索及び検索タスクを自動化システムに転送することに対する要請が大きくなってきている。構造化されていないビデオコンテンツの大きいアーカイブにおける検索及び探索は、通常、前記コンテンツがコンテンツ分析技術を用いて索引付けされた後に実行される。それらの技術は、例えば、画像処理、パターン認識及び人工知能等のアルゴリズムに基づいていて、それらのアルゴリズムは、前記ビデオコンテンツの観点から、ビデオ素材の注釈の記述を自動的に生成することを目的とする（そのような注釈は、例えば、色及びテクスチャ等の低レベルの信号関連の特徴から、例えば、顔の存在及び位置等の高レベル情報まで変化する）。
【０００９】
最も重要なコンテンツの記述の１つは、例えば、特許文献、国際公開第０１／０３４２９号パンフレットに記載されているような、ショット境界インジケータである。ショットとは、単一のカメラを連続して用いて撮影されたビデオセグメントであり、ショットは、一般に、ビデオを有する基本単位とみなされる。ショット境界を検出することは、それ故、それらの基本ビデオ単位を再生することを意味し、それはまた、略全てのビデオ抽象化及び高レベルのビデオセグメント化アルゴリズムのための基礎を与える（例えば、文献、“Ｖｉｄｅｏ  Ａｂｓｔｒａｃｔｉｎｇ”，ｂｙ  Ｒ．Ｌｉｅｎｈａｒｔ，  ｅｔ  ａｌ．，Ｃｏｍｍｕｎｉｃａｔｉｏｎｓ  ｏｆ  ｔｈｅ  ＡＣＭ，４０（１２），１９９７，ｐｐ５５−６２参照）。
【００１０】
ビデオ編集中、ショットは、少なくとも２つのクラスに分類されることができるショット遷移、即ち、突然の遷移及び徐々の遷移を用いて接続される。突然の遷移はまた、ハードカットと呼ばれ、２つのショットの何れの修正を伴わずに得られ、検出することが非常に容易であり、それらは、全ての種類の映像再生の大部分を占める。例えば、フェード、ディゾルブ、ワイプのような徐々の遷移は、２つの含まれているショットの特定の変換を適用することにより得られる。映像再生中、各々の遷移の種類は、ビデオシーケンスのコンテンツ及び前後関係を支援するように注意深く選択される。それ故、それらの位置及び種類全てを自動的に再生することは、機器が高レベルのセマンティクスを演繹することを支援する。例えば、長編映画において、ディゾルブは、しばしば、時間の経過を伝えるために用いられる。また、ディゾルブは、ニュースキャスト、スポーツ、コメディ及びショーより非常にしばしば、長編映画、ドキュメンタリー、伝記素材及び科学ビデオ素材において生じる。その逆は、ワイプについて真である。それ故、遷移及び遷移の種類の自動検出がビデオジャンルの自動認識のために用いられる。
【００１１】
次のＨ．２６４／ＡＶＣ規格についての大きい適用領域のために、Ｈ．２６４／ＡＶＣビデオコンテンツ分析のための効率的な解決方法についての要請が大きくなってきている。近年、圧縮された領域で殆ど専用に動作する幾つかの効率的なコンテンツ分析アルゴリズム及び方法がＭＰＥＧ−２ビデオについて示された。上記のように、Ｈ．２６４／ＡＶＣは、ある意味では、ＭＰＥＧ−２シンタックスの上位集合を指定するため、それらの方法の殆どはＨ．２６４／ＡＶＣに拡張されることが可能である。しかしながら、ＭＰＥＧ−２の制約のために、それらの既存の方法は適切な又は高信頼性の性能を与えることができず、そのことは、画素領域又は音声領域で動作する付加的且つしばしばコストパフォーマンスの低い方法を有することによって典型的にアドレス指定される欠点を有する。
【非特許文献１】“Ｖｉｄｅｏ  Ａｂｓｔｒａｃｔｉｎｇ”，ｂｙ  Ｒ．Ｌｉｅｎｈａｒｔ，  ｅｔ  ａｌ．，Ｃｏｍｍｕｎｉｃａｔｉｏｎｓ  ｏｆ  ｔｈｅ  ＡＣＭ，４０（１２），１９９７，ｐｐ５５−６２
【発明の開示】
【発明が解決しようとする課題】
【００１２】
それ故、本発明の目的は、予測されるべきフレームの将来と過去からの一意の予測量でフレームの重み付け予測が行われる状況全てにおいて、前記短所を回避することを可能にする方法を提供することである。
【課題を解決するための手段】
【００１３】
このために、本発明は、マクロブロックに分割された連続的フレームを有するビデオストリームの形で利用可能なデジタル符号化ビデオデータを処理する方法であって、前記フレームは、少なくとも、独立して符号化されたＩフレームと、前記Ｉフレーム間に一時的に配置されるＰフレームであって、少なくとも前のＩフレーム又はＰフレームから予測されるＰフレームと、ＩフレームとＰフレームとの間又は２つのＰフレームの間に一時的に配置され、それらが間に配置された少なくとも２つのフレームから双方向的に予測されるＢフレームとを有し、前記予測は過去と将来からの一意の予測量を有する重み付け予測により行われる、方法であり：
−  もしあれば、前記重み付け予測を特徴付ける符号化パラメータに関連する現フレームの各々の連続マクロブロックを決定する段階；
−  前記パラメータに関連する統計値を供給するために、現フレームの連続マクロブロック全てのために前記パラメータを収集する段階；
−  予測の方向のために好みの変化を決定するために前記統計値を分析する段階；及び
−  選好の変化が決定される度に、フレームのシーケンスにおける徐々のシーン変化の存在を検出する段階；
を有する方法に関する。
【００１４】
更に詳細には、本発明に従った分析する段階は、現フレームにおけるマクロブロックの全数に関連して導き出される所定の閾値に対して、同じ方向の選好及び類似する重み付けを有するマクロブロックの数を比較するために備えられている。好適には、各々のシーンの変化の位置及び持続時間に関する情報が生成され、ファイルに記憶される。
【００１５】
本発明の他の目的は、上記の方法を実行することを可能にする処理装置を提供することである。
【００１６】
このために、本発明は、マクロブロックに分割された連続的フレームを有するビデオストリームの形で利用可能なデジタル符号化ビデオデータを処理する装置であって、前記フレームは、少なくとも、独立して符号化されたＩフレームと、前記Ｉフレーム間に一時的に配置されるＰフレームであって、少なくとも前のＩフレーム又はＰフレームから予測されるＰフレームと、ＩフレームとＰフレームとの間又は２つのＰフレームの間に一時的に配置され、それらが間に配置された少なくとも２つのフレームから双方向的に予測されるＢフレームとを有し、前記予測は過去と将来からの一意の予測量を有する重み付け予測により行われる、装置であり：
−  もしあれば、前記重み付け予測を特徴付ける符号化パラメータに関連する現フレームの各々の連続マクロブロックを決定するために備えられる決定手段；
−  前記パラメータに関連する統計値を供給するために、現フレームの連続マクロブロック全てのために前記パラメータを収集するために備えられる収集手段；
−  予測の方向のために好みの変化を決定するために前記統計値を分析するために備えられる分析手段；及び
−  選好の変化が決定される度に、フレームのシーケンスにおける徐々のシーン変化の存在を検出するために備えられる検出手段；
を有する装置に関する。
【発明を実施するための最良の形態】
【００１７】
上記のように、動き予測に関してＨ．２６４／ＡＶＣの一般的概念及び特徴を呼び出すとき、動き補償予測信号は、符号化器により指定された量だけ重み付けされることができる。重み付け予測は、過去からの及び将来からの予測ブロックが一意の量だけ全予測において存在する双方向予測（Ｂピクチャ）を得るように用いられる（ＭＰＥＧ−２を用いる場合、これは、１／２だけ両方の予測信号を重み付けする１つの可能性に限定される）。
【００１８】
本発明の原理は、このような不適当なことのために、徐々のショット遷移の存在が、一の方向から他の方向への予測についての選好の徐々の変化により表されることである。そのような予測の方向についての予測の変化は、重み付けされた予測を特徴付ける符号化パラメータを関連付ける統計値を分析することにより検出される。例えば、この分析は、所定の閾値に対して、同じ方向の選好及び類似する重み付けを有するマクロブロックの数を比較することを含むことができる。更に、そのようなマクロブロックの分布の（局所的）均一性は、予測についての徐々のシーン遷移の方向選好における変化が、実際には、徐々のシーン遷移の結果であることを確認するように調べられる。また、一部の付加的分析が、サブマクロブロック動き予測の有効な使用を考慮するように、及び、重み付け予測において、例えば、Ｈ．２６４／ＡＶＣにおいて可能であるように、実行されることが可能である。
【００１９】
例えば、前のピクチャＰｉ−ｎ、Ｐｉ−１及び後のピクチャＰｉ＋ｊ、Ｐｉ＋ｍからピクチャＢｉの予測を示すＨ．２６４／ＡＶＣにおける双方向予測の例を図２に示す。ＭＢＰｒｅｄと呼ばれ、Ｂ１“＋”Ｂ２“＋”Ｂ３に等しく、Ｂ１＝ａｌｐｈａ１．ｂ１＋ａｌｐｈａ２．ｂ２（ここで、ａｌｐｈａ１及びａｌｐｈａ２は係数である）であるマクロブロックＭＢについての予測は３つの予測ブロックを有し、それ故、マクロブロックＭＢＰｒｅｄの下の半分は２つの８ｘ８ブロックＢ２及びＢ３により予測され、そのマクロブロックの上の半分は１つの８ｘ１６ブロックＢ１により予測される。それらの予測ブロックの各々は、Ｈ．２６４において可能であるように、異なる基準ピクチャに関連し、区別可能な動きベクトルを有する。Ｂ２及びＢ３と異なり、ブロックＢ１は重み付けされた予測を用いて得られる、即ち、そのブロックＢ１は、対応する重み付けパラメータａｌｐｈａ１及びａｌｐｈａ２により制御される一意の量の和に存在する２つのブロックｂ１及びｂ２を加算することにより得られる。それらの重み付けパラメータ（絶対値及び符号）の統計値が全てのマクロブロックに対して収集され、複数のマクロブロックに亘る統計値分布が徐々のシーン遷移の検出を達成するように分析される。
【００２０】
本発明に従った処理方法の実施について図３のブロック図に示されていて、その図３は、例えば、Ｈ．２６４／ＡＶＣビットストリームの場合における上記の概念を示し、前記実施例は、しかしながら、本発明の範囲を限定するものではない。図に示されている復号化装置においては、デマルチプレクサ２１は、トランスポートストリームＴＳを受信し、分波された音声ストリームＡＳ及びビデオストリームＶＳを生成する。ビデオストリームは、復号化されたビデオストリームＤＶＳを通常通りに供給するために、Ｈ．２６４／ＡＶＣ復号化器２２により受信される。前記復号化器２２は、主に、逆量子化回路２２１（Ｑ−１）と、この場合には逆ＤＣＴ回路である逆トランスフォーム回路２２２（Ｔ−１）と、動き補償回路２２３とを有する。それはまた、実行される重み付けされた予測を特徴付ける受信された符号化パラメータ（例えば、一部の関連符号化パラメータは、“ｌｕｍａ＿ｗｅｉｇｈｔ”、“ｌｕｍａ＿ｏｆｆｓｅｔ”、“ｌｕｍａ＿ｌｏｇ２＿ｗｅｉｇｈｔ＿ｄｅｎｏｍ”等であり、それらは、予測サンプルの重み付け及びオフセットを特徴付ける式において用いられる）を収集するために備えられている、所謂、Ｎｅｔｗｏｒｋ  Ａｂｓｔｒａｃｔｉｏｎ  Ｌａｙｅｒ  Ｕｎｉｔ（ＮＡＬＵ）２２４を有する。前記ユニット２２４の出力信号は、適切な処理のための分析回路２３により受信される予測パラメータ統計値ＷＰＰＳを重み付けされる。その回路２３において実行される処理動作は、次いで、最初に受信されたストリームにおける徐々のシーン変化の位置及び持続時間についての情報を生成し、この情報は、次いで、例えば、通常用いられるＣＰＩ（Ｃｈａｒａｃｔｅｒｉｓｔｉｃ  Ｐｏｉｎｔ  Ｉｎｆｏｒｍａｔｉｏｎ）テーブルの形式で、ファイル２４に記憶される。この出力情報は、ここで、例えば、ビデオの要約、自動チャプタリング等のアプリケーションに対して利用可能である。
【００２１】
ハードウェア又はソフトウェア（本発明の方法は、それ故、処理ユニットにローディングされるときにこの処理ユニットが上記のような方法を実行するようにする指令の集合を有する処理ユニットのためのコンピュータプログラムプロダクトにより実行される）又はそれら両方のアイテムにより機能を実行する複数の方法が存在することを付け加えておく。この点で、上記図は模式的であり、本発明の可能な実施形態の１つのみを示している。それ故、図（この場合、図３）は異なるブロックとして異なる機能を示しているが、このことは、ハードウェア又はソフトウェアの単一のアイテムが複数の機能を実行することを決して排除するものではない。ハードウェア又はソフトウェア又はそれら両方のアイテムのアセンブリがある機能を実行することを排除するものでもない。それらの特記は、図に関連して、上記詳細説明が本発明を限定するものではなく、特許請求の範囲の範囲内に網羅される多くの変形が可能であることを呼び起こすことを意図している。用語“を有する”は、請求項に挙げられている要素又は段階以外の他の要素又は段階の存在を排除するものではない。要素又は段階の単数表現はそのような要素又は段階の複数の存在を排除するものではない。
【図面の簡単な説明】
【００２２】
【図１】双方向的予測の従来の実施例を示す図である。
【図２】Ｈ．２６４／ＡＶＣ規格の場合のＢフレームについての重み付け予測の基本原理を示す図である。
【図３】本発明に従った処理方法の実施についてのブロック図である。
【図１】
2007518303.tif 000003
【図２】
2007518303.tif 000004
【図３】
2007518303.tif 000005
【国際調査報告】
2007518303.tif 000006
2007518303.tif 000007